(57)【要約】【課題】本発明は、識別情報もしくはデータを送信する、格納する、受信する、および／または読み出す、および／または、アクセサリもしくは関連製品とスマート電子装置との間の情報もしくはデータを任意の異なったサーバもしくは記憶媒体におよび／またはからペアリングするためのシステム及び方法に関する。【解決手段】したがって、本発明はユーザが全ての識別情報もしくはデータを送信する、および／または格納する、および／または既存のスマート装置に接続されたかもしくはペアリングされたアクセサリもしくは関連製品の情報もしくはデータを異なったサーバもしくは記憶媒体にペアリングすることを可能にし、かつペアリングプロセスを再び開始する必要性なしで前記アクセサリもしくは関連製品との接続および／または通信を確立する、および／または維持するためにそれらの情報もしくはデータが、前記サーバもしくは記憶媒体から同じもしくは別のスマート電子装置に、読み出される、および／または受信されることを可能にする。【選択図】図１
2016506642.tif 000002
【特許請求の範囲】
【請求項１】
関連する識別情報もしくはデータを送信する、格納する、受信する、および／または読み出す、および／またはアクセサリもしくは関連製品とスマート電子装置との間の情報もしくはデータを任意の異なったサーバもしくは記憶媒体におよび／またはからペアリングするためのシステムであって、前記システムが：
ａ）少なくとも１台のスマート電子装置；
ｂ）前記スマート電子装置と無線で接続される少なくとも１台のアクセサリまたは関連製品；および
ｃ）前記スマート電子装置と関連づけるかもしくは通信するサーバもしくは記憶媒体を含み；
前記システムが、前記サーバもしくは記憶媒体と関連付けられる、および／または通信される前記スマート電子装置のファームウェアおよび／またはソフトウェアアプリケーションを含むことを特徴とするシステム。
【請求項２】
前記アクセサリもしくは関連製品が、ブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１に記載のシステム。
【請求項３】
前記スマート電子装置が、ブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１または２に記載のシステム。
【請求項４】
前記ペアリング能力が、下位ブルートゥースバージョンまたは前記スマート電子装置とペアリングするかもしくは接続するための他の無線技術を使用する任意の装置であることができることを特徴とする請求項２または３に記載のシステム。
【請求項５】
前記スマート電子装置が、スマートフォン、セル式もしくは携帯電話、スマートタブレット、コンピュータ、ラップトップ、パーソナル携帯情報機器または任意のスマート装置などであることを特徴とする請求項１，２，３または４に記載のシステム。
【請求項６】
前記アクセサリもしくは関連製品が、その不揮発性もしくはフラッシュメモリ内に予めインストールされるかまたは予めプログラムされる識別情報もしくはデータ（「ＩＤ」）および／またはペアリング情報もしくはデータ（「ペアリング情報」）を有することを特徴とする請求項１，２，３，４または５に記載のシステム。
【請求項７】
前記ＩＤもしくはペアリング情報が、ＭＡＣアドレス、ＢＴアドレス、装置シリアル番号、またはスマート電子装置と前記アクセサリもしくは関連製品との間の接続および／または通信を確立する、および／または維持する目的のための他の特有なデータもしくはコーディングなどであることを特徴とする請求項６に記載のシステム。
【請求項８】
前記アクセサリもしくは関連製品が、スマート電子装置にそのＩＤおよび／またはペアリング情報を送信することが可能であることを特徴とする請求項６または７に記載のシステム。
【請求項９】
前記スマート電子装置が、前記アクセサリもしくは関連製品から任意のもしくは全てのＩＤおよび／またはペアリング情報を読み出す、および／または受信することが可能であることを特徴とする請求項６，７または８に記載のシステム。
【請求項１０】
前記スマート電子装置内の前記ファームウェアもしくはソフトウェアアプリケーション（「アプリ」）が、前記スマート電子装置が、前記アクセサリもしくは関連製品から受信した、および／または読み出した任意のもしくは全てのＩＤおよび／またはペアリング情報を得ることを可能にすることを特徴とする請求項９に記載のシステム。
【請求項１１】
前記スマート電子装置内の前記ファームウェアもしくはソフトウェアアプリケーション（「アプリ」）によって得られる前記ＩＤおよび／またはペアリング情報が、前記ファームウェアもしくはソフトウェアアプリケーション（「アプリ」）経由で前記サーバもしくは記憶媒体に送信される、および／または格納されることを特徴とする請求項１０に記載のシステム。
【請求項１２】
前記スマート電子装置内の前記ファームウェアもしくはソフトウェアアプリケーション（「アプリ」）が、前記サーバもしくは記憶媒体から以前に前記サーバもしくは記憶媒体内に送信された、および／または格納されたＩＤおよび／またはペアリング情報を読み出す、および／または受信することが可能であることを特徴とする請求項１０または１１に記載のシステム。
【請求項１３】
前記スマート電子装置内の前記ファームウェアもしくはソフトウェアアプリケーション（「アプリ」）が、前記関連するアクセサリもしくは関連製品との接続および／または通信を確立する、および／または維持するために、前記サーバもしくは記憶媒体から読み出された、および／または受信された前記ＩＤおよび／またはペアリング情報を利用するように前記スマート電子装置の前記ペアリング能力を制御することを特徴とする請求項１２に記載のシステム。
【請求項１４】
前記サーバもしくは記憶媒体が、ウェブサーバ、ＳＱＬサーバ、クラウドコンピューティングシステムまたはその他の利用可能なサーバもしくはデータベースシステムであることを特徴とする請求項１，１１，１２または１３に記載のシステム。
【請求項１５】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項１，１１，１２，１３または１４に記載のシステム。
【請求項１６】
任意の異なったサーバもしくは記憶媒体にアクセサリもしくは関連製品からスマート電子装置によって読み出された、および／または受信された識別情報もしくはデータ（「ＩＤ」）および／またはペアリング情報もしくはデータ（「ペアリング情報」）を送信する、および／または格納するための方法であって、前記方法が：
ａ）有線の方法でもしくは無線で少なくとも１台のアクセサリもしくは関連製品を少なくとも１台のスマート電子装置にペアリングするかまたは接続するステップ；
ｂ）サーバおよび／または記憶媒体と前記スマート電子装置のファームウェアもしくはソフトウェア（「アプリ」）との間の通信を関連づける、および／または確立するステップであって；前記スマート電子装置が、前記アクセサリもしくは関連製品からＩＤおよび／またはペアリング情報を受信する、および／または読み出すステップ；ならびに
ｃ）前記サーバもしくは記憶媒体に前記スマート電子装置内の前記ファームウェアもしくはソフトウェアアプリケーション（「アプリ」）経由で、前記ＩＤおよび／またはペアリング情報を送信する、および／または格納するステップを含む方法。
【請求項１７】
前記アクセサリもしくは関連製品が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１６に記載の方法。
【請求項１８】
前記スマート電子装置が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１６または１７に記載の方法。
【請求項１９】
前記スマート電子装置が、スマートフォン、セル式もしくは携帯電話、スマートタブレット、コンピュータ、ラップトップ、パーソナル携帯情報機器または任意のスマート装置などであることを特徴とする請求項１６，１７または１８に記載の方法。
【請求項２０】
前記スマート電子装置内の前記ファームウェアもしくはソフトウェアアプリケーション（「アプリ」）が、前記スマート電子装置が任意のアクセサリもしくは関連製品から受信した、および／または読み出した任意のもしくは全てのＩＤおよび／またはペアリング情報を得るために、前記スマート電子装置の前記ペアリング能力を制御することを可能にすることを特徴とする請求項１６，１７，１８または１９に記載の方法。
【請求項２１】
前記スマート電子装置内の前記ファームウェアもしくはソフトウェアアプリケーション（「アプリ」）が、前記スマート電子装置から得られた任意のもしくは全てのＩＤおよび／またはペアリング情報を前記サーバもしくは記憶媒体に送信する、および／または格納することを可能にすることを特徴とする請求項２０に記載の方法。
【請求項２２】
前記アクセサリもしくは関連製品の前記ＩＤおよび／またはペアリング情報が、前記アクセサリもしくは関連製品の不揮発性もしくはフラッシュメモリに予めインストールされるかまたは前もってプログラムされることを特徴とする請求項２０または２１に記載の方法。
【請求項２３】
前記アクセサリもしくは関連製品の前記ＩＤおよび／またはペアリング情報が、ＭＡＣアドレス、ＢＴアドレス、装置シリアル番号、またはスマート電子装置と前記アクセサリもしくは関連製品との間の接続および／または通信を確立する、および／または維持する目的のための他の特有なデータもしくはコーディングなどであることを特徴とする請求項２０，２１または２２に記載の方法。
【請求項２４】
前記サーバもしくは記憶媒体が、ウェブサーバ、ＳＱＬサーバ、クラウドコンピューティングシステムまたはその他の利用可能なサーバもしくはデータベースシステムであることを特徴とする請求項１６，２１，２２または２３に記載の方法。
【請求項２５】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項１６，２１，２２，２３または２４に記載の方法。
【請求項２６】
任意の異なったサーバもしくは記憶媒体から、以前に前記サーバもしくは記憶媒体に送信された、および／または格納されたアクセサリもしくは関連製品の任意のもしくは全ての関連する識別（「ＩＤ」）および／またはペアリング情報および／またはデータ（「ペアリング情報」）を、スマート電子装置に、前記スマート電子装置と前記関連するアクセサリもしくは関連製品との間の接続および／または通信を確立する、および／または維持するために、読み出す、および／または受信するための方法であって、前記方法が：
ａ）サーバもしくは記憶媒体とスマート電子装置内のファームウェアおよび／またはソフトウェアアプリケーション（「アプリ」）との間の通信を関連づける、および／または確立するステップ；
ｂ）前記スマート電子装置に前記スマート電子装置内の前記ファームウェアおよび／またはソフトウェアアプリケーション（「アプリ」）経由で、前記サーバもしくは記憶媒体から任意のもしくは全てのＩＤおよび／またはペアリング情報を読み出す、および／または受信するステップ；ならびに
ｃ）前記スマート電子装置と前記関連するアクセサリもしくは関連製品との間の接続および／または通信を確立する、および／または維持するために、前記スマート電子装置内の前記ファームウェアおよび／またはソフトウェアアプリケーション（「アプリ」）経由で、この種の読み出された、および／または受信されたＩＤおよび／またはペアリング情報を使用するステップを含む方法。
【請求項２７】
前記アクセサリもしくは関連製品が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項２６に記載の方法。
【請求項２８】
前記スマート電子装置が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項２６または２７に記載の方法。
【請求項２９】
前記スマート電子装置が、スマートフォン、セル式もしくは携帯電話、スマートタブレット、コンピュータ、ラップトップ、パーソナル携帯情報機器または任意のスマート装置などであることを特徴とする請求項２６，２７または２８に記載の方法。
【請求項３０】
前記スマート電子装置内の前記ファームウェアもしくはソフトウェアアプリケーション（「アプリ」）が、前記サーバもしくは記憶媒体から、前記サーバもしくは記憶媒体に以前に送信された、および／または格納されたアクセサリもしくは関連製品の任意のもしくは全ての関連するＩＤおよび／またはペアリング情報を前記スマート電子装置に読み出す、および／または受信することを可能にすることを特徴とする請求項２６，２７，２８または１９に記載の方法。
【請求項３１】
前記スマート電子装置の前記ファームウェアもしくはソフトウェアアプリケーション（「アプリ」）が、前記関連するアクセサリもしくは関連製品との接続および／または通信を確立する、および／または維持するために前記ＩＤおよび／またはペアリング情報を使用するように前記スマート電子装置の前記ペアリング能力を制御することを可能にすることを特徴とする請求項３０に記載の方法。
【請求項３２】
前記アクセサリもしくは関連製品の前記ＩＤおよび／またはペアリング情報が、前記アクセサリもしくは関連製品の不揮発性もしくはフラッシュメモリに予めインストールされるかまたは前もってプログラムされることを特徴とする請求項３０または３１に記載の方法。
【請求項３３】
前記アクセサリもしくは関連製品の前記ＩＤおよび／またはペアリング情報が、ＭＡＣアドレス、ＢＴアドレス、装置シリアル番号、またはスマート電子装置と前記アクセサリもしくは関連製品との間の接続および／または通信を確立する、および／または維持する目的のための他の特有なデータもしくはコーディングなどであることを特徴とする請求項３０，３１または３２に記載の方法。
【請求項３４】
前記サーバもしくは記憶媒体が、ウェブサーバ、ＳＱＬサーバ、クラウドコンピューティングシステムまたはその他の利用可能なサーバもしくはデータベースシステムであることを特徴とする請求項２６，３０，３１，３２または３３に記載の方法。
【請求項３５】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項２６，３０，３１，３２，３３または３４に記載の方法。
【発明の詳細な説明】
【技術分野】
【０００１】
本発明は一般に、識別情報もしくはデータを送信する、格納する、受信する、および／または読み出す、および／または、アクセサリもしくは関連製品とスマート電子装置との間の情報もしくはデータを任意の異なったサーバもしくは記憶媒体におよび／またはからペアリングするためのシステム及び方法に関する。
【背景技術】
【０００２】
ポータブル通信システムおよび装置は、日常生活の多くの側面に一体化されてかつ現在一日を通して人またはユーザによって一般に携帯されている。電子通信産業の発達および急速な変化に起因して、セル式もしくは携帯電話、スマートフォン、コンピュータ、ラップトップ、タブレットコンピュータ、パーソナル携帯情報機器または任意の通信装置などのような電子装置が、現代社会における必需品になっており、かつ情報伝送のための重要な手段になっている。周知のように、この種の電子装置はコンピュータ支援機能、同じく先端動作および機能のための種々のサポートアプリケーション（「アプリ」）を備えた高機能／スマート装置に進化している。
【０００３】
この種の高機能／スマート電子装置（「基本装置」）は、ユーザの必要性に従い追加的なユーティリティとして種々のアクセサリもしくは関連製品（「二次装置」）と共にまたは連動して一般に使われる。最近、この種の基本装置、例えばスマートフォンは広範囲のネットワークおよび機能を実現するために有線または無線方法で選択的に接続される。特に、この種の基本装置はユーザの特性に従ってカスタマイズされ、および装置間のネットワーク環境もまたユーザの特性に従ってカスタマイズされる。たとえば、更なるまたは追加的な動作および機能のために基本装置とペアリングされ、かつ連動して用いられることができる種々の二次装置がある。この種のペアリングは、一般的に二次装置が一意のもしくは特定の識別情報もしくはデータ（「ＩＤ」）、または一般的にその不揮発性もしくはフラッシュメモリ内に格納されるペアリング情報もしくはデータ（「ペアリング情報」）をさえ有する状況を含む。したがって、基本装置は通常有線もしくは無線方法で二次装置のＩＤおよび／またはペアリング情報を使用してこの種の二次装置と接続してかつ通信する能力を有する。ペアリングプロセスは、一般的にそれによって基本装置が二次装置の存在をスキャンするところで生じ、および二次装置がこの種の基本装置によってそれらの存在が検出されるように信号を送るかまたは「広告する」。確認の際にユーザによってまたは別な方法で、特定の基本装置が特定の二次装置に接続されるべきであり、前記有線もしくは無線接続を維持し、同じく二次装置と通信するために基本装置は、二次装置のＩＤおよび／またはペアリング情報を受信するかまたは受信してかつ格納する。
【０００４】
しかしながら、ユーザが彼の／彼女の既存の基本装置を異なる基本装置と交換することを望む時、困難が通常生じることが分かっている。二次装置と既存の基本装置との間のＩＤおよび／またはペアリング情報が前記既存の基本装置内にだけ含有されるので、二次装置をペアリングするプロセスが異なる基本装置にそれらをペアリングするために再び開始される必要がある。とりわけ、基本装置を交換するために全ての既存の二次装置をペアリングすることは、面倒かつ繰り返しのプロセスになる。同じように、基本装置内に格納される関連するＩＤおよび／またはペアリング情報が消去されたか、失われたか、使用不可能になったか、または再フォーマットされたところで、ペアリングプロセスが同様に再び開始される必要がある。
【発明の概要】
【発明が解決しようとする課題】
【０００５】
これらのおよび他の欠点からみて、ペアリングプロセスを再び開始するかもしくは繰り返す必要性を回避するために、関連する識別情報もしくはデータを送信する、格納する、受信する、および／または読み出す、および／または任意の異なったサーバもしくは記憶媒体におよび／またはからこれらの二次装置と基本装置との間の情報もしくはデータをペアリングするためのシステムおよび方法を提供することが望ましい。
【０００６】
したがって、本発明は、ユーザが二次装置と既存の基本装置との間の全てのペアリング情報を異なったサーバもしくは記憶媒体に送信する、および／または格納することを可能にし、かつこの種のペアリング情報が次いでペアリングプロセスを再び開始する必要性を回避するような代替もしくは他の基本装置に読み出される、および／または受信されることを可能にする。
【課題を解決するための手段】
【０００７】
本発明は、識別情報もしくはデータを送信する、格納する、受信する、および／または読み出す、および／またはアクセサリもしくは関連製品とスマート電子装置との間の情報もしくはデータを任意の異なったサーバもしくは記憶媒体におよび／またはからペアリングするためのシステムに関する。
【０００８】
したがって、全ての関連する識別情報もしくはデータ（「ＩＤ」）を送信する、格納する、受信する、および／または読み出す、および／またはアクセサリもしくは関連製品とスマート電子装置との間の情報もしくはデータ（「ペアリング情報」）を任意の異なったサーバもしくは記憶媒体におよび／またはからペアリングするためのシステムであって、このシステムが：ａ）少なくとも１台のスマート電子装置（「基本装置」）；ｂ）前記基本装置と有線でもしくは無線で接続される基本装置の少なくとも１台のアクセサリもしくは関連製品（「二次装置」）；およびｃ）有線もしくは無線ネットワーク、セル式ネットワーク、ブロードバンド、インターネット、クラウドコンピューティング経由でまたは別の方法で基本装置と関連付けられる、および／または通信される少なくとも１台のサーバもしくは記憶媒体（「ホスト」）を含み；このシステムが、ホストと関連付けられる、および／または通信される基本装置のファームウェアおよび／またはソフトウェアアプリケーション（「アプリ」）を含む。
【０００９】
好ましいシステムでは、二次装置は任意の無線で使用可能な装置であることができる。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。
【００１０】
好ましくは、二次装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のような無線使用可能な器具を使用して基本装置と無線で接続される。理解されるであろうことは、無線使用可能な器具は基本装置とペアリングするかまたは接続するための他の無線技術を使用する任意の装置であることができることである。
【００１１】
好ましくは、基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。限定でないが例として、基本装置はスマートフォン、セル式もしくは携帯電話、スマートタブレット、コンピュータ、ラップトップ、パーソナル携帯情報機器または任意のスマート装置などである。
【００１２】
理解されるであろうことは、好ましいシステムのホストはウェブサーバ、ＳＱＬサーバ、クラウドコンピューティングシステムまたはその他の利用可能なサーバ、記憶媒体もしくはデータベースシステムであることができる。
【００１３】
好ましいシステムでは、二次装置は装置または一意の識別情報もしくはデータ（「ＩＤ」）を含有し、かつさらに不揮発性メモリ、フラッシュメモリ内にまたは別な方法で格納されることができるペアリング情報もしくはデータ（「ペアリング情報」）を有することができる。基本装置と二次装置との間の接続および／または通信を確立する、および／または維持するためにＩＤおよび／またはペアリング情報が二次装置によって送信される、および／または基本装置によって読み出されることができる点に留意する必要がある。ＩＤもしくはペアリング情報がさらにＭＡＣアドレス、ＢＴアドレス、装置シリアル番号または他の特有なデータもしくはコーディングなどを含むことができることが更に認識される。
【００１４】
好ましくは、基本装置内のファームウェアおよび／またはソフトウェアアプリケーション（「アプリ」）が、基本装置によってホストに受信されたかもしくは読み出された任意のもしくは全てのＩＤおよび／またはペアリング情報を送信する、および／または格納することが可能である。同じように、基本装置内のアプリは、ホストからＩＤおよび／またはペアリング情報を読み出す、および／または受信することが可能である。
【００１５】
好ましくは、この種の二次装置との接続および／または通信を確立する、および／または維持するために、基本装置が二次装置からＩＤおよび／またはペアリング情報を受信した、および／または読み出した所で、アプリは、基本装置からこの種のＩＤおよび／またはペアリング情報を得て、かつ前記ＩＤおよび／またはペアリング情報をホストに送信する、および／または格納する。ユーザがその後既存の二次装置と以前のもしくは既存のペアリングを有する既存の基本装置を交換することを望むところで、ユーザは、代替基本装置のアプリ経由で、既存の二次装置との接続および／または通信を確立する、および／または維持するためにホストから関連するＩＤおよび／またはペアリング情報を受信する、および／または読み出すことを可能にされる。これは、既存の二次装置の各々に対してペアリングプロセスを再び開始する必要性を回避する。
【００１６】
本発明は、さらにスマート電子装置（「基本装置」）によって受信された、および／または読み出された全ての関連する識別（「ＩＤ」）および／またはペアリング情報および／またはデータ（「ペアリング情報」）をアクセサリもしくは関連製品（「二次装置」）から任意の異なったサーバもしくは記憶媒体（「ホスト」）に送信する、および／または格納する方法を提供し、この方法が：ａ）有線の方法でもしくは無線で少なくとも１台の二次装置を少なくとも１台の基本装置にペアリングするかまたは接続するステップ；ｂ）ホストと前記基本装置内のファームウェアおよび／またはソフトウェアアプリケーション（「アプリ」）との間の通信を関連づける、および／または確立するステップであって；前記基本装置が、前記二次装置からＩＤおよび／またはペアリング情報を受信する、および／または読み出すステップ；ならびにｃ）前記基本装置のファームウェアもしくはソフトウェアアプリケーション（「アプリ」）経由で、前記ホストに前記基本装置によって受信された、および／または読み出された前記二次装置のＩＤおよび／またはペアリング情報を送信する、および／または格納するステップを含む。
【００１７】
好ましくは、二次装置および基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。理解されるであろうことは、ペアリング能力は二次装置と基本装置をペアリングするかまたは接続するためのその他の無線技術であることができることである。限定でないが例として、本発明の基本装置は、スマートフォン、セル式もしくは携帯電話、スマートタブレット、コンピュータ、ラップトップ、パーソナル携帯情報機器または任意のスマート装置などである。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。
【００１８】
理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。
【００１９】
好ましい方法のホストがウェブサーバ、ＳＱＬサーバ、クラウドコンピューティングシステムまたはその他の利用可能なサーバ、記憶媒体もしくはデータベースシステムであることができることがさらに理解される。
【００２０】
好ましい方法において、アプリは任意の二次装置と接続する、および／または通信するために前記基本装置によって読み出されたかまたは受信されたＩＤおよび／またはペアリング情報を得るために基本装置のペアリング機能を制御することが可能である。アプリは、それが基本装置からホストに得た任意のもしくは全てのＩＤおよび／またはペアリング情報を送信する、および／または格納することが可能である。理解されるであろうことは、有線もしくは無線ネットワーク、セル式ネットワーク、ブロードバンド、インターネット、クラウドコンピューティング経由で、または別な方法でアプリが任意の形式の接続経由でホストと関連付けられる、および／または通信されることができることである。
【００２１】
本発明は、任意の異なったサーバもしくは記憶媒体（「ホスト」）から、以前に前記ホストに送信された、および／または格納されたアクセサリもしくは関連製品（「二次装置」）の任意のもしくは全ての関連する識別（「ＩＤ」）および／またはペアリング情報および／またはデータ（「ペアリング情報」）を、基本装置と二次装置との間の接続および／または通信を確立する、および／または維持するためにスマート電子装置（「基本装置」）に読み出す、および／または受信するための方法を更に備える。したがって、この方法は：ａ）ホストと基本装置内のファームウェアおよび／またはソフトウェアアプリケーション（「アプリ」）との間の通信を関連づける、および／または確立するステップ；ｂ）任意のもしくは全てのＩＤおよび／またはペアリング情報を、前記基本装置内のファームウェアおよび／またはソフトウェアアプリケーション（「アプリ」）経由で、前記基本装置に前記ホストから読み出す、および／または受信するステップ；ならびにｃ）この種の読み出された、および／または受信されたＩＤおよび／またはペアリング情報を使用して、前記基本装置のアプリ経由で、前記基本装置と関連する二次装置との間の接続および／または通信を確立する、および／または維持するステップを含む。
【００２２】
好ましくは、二次装置および基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。理解されるであろうことは、ペアリング能力は二次装置と基本装置をペアリングするかまたは接続するためのその他の無線技術であることができることである。
【００２３】
限定でないが例として、本発明の基本装置はスマートフォン、セル式もしくは携帯電話、スマートタブレット、コンピュータ、ラップトップ、パーソナル携帯情報機器または任意のスマート装置などである。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。
【００２４】
理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。
【００２５】
好ましい方法のホストがウェブサーバ、ＳＱＬサーバ、クラウドコンピューティングシステムまたはその他の利用可能なサーバ、記憶媒体もしくはデータベースシステムであることができることがさらに理解される。
【００２６】
好ましい方法において、ホストは以前にそれに送信された、および／または格納された二次装置のＩＤおよび／またはペアリング情報を含有する。基本装置内のアプリは、任意のもしくは全てのこの種のＩＤおよび／またはペアリング情報をホストから読み出す、および／または受信することが可能である。理解されるであろうことは、アプリが、有線もしくは無線ネットワーク、セル式ネットワーク、ブロードバンド、インターネット、クラウドコンピューティング経由で、または別な方法で任意の形式の接続経由でホストと関連付けられる、および／または通信されることができることである。
【００２７】
アプリは、関連する二次装置との接続および／または通信を確立する、および／または維持するためにホストから読み出された、および／または受信されたＩＤおよび／またはペアリング情報を利用するように基本装置のペアリング機能を制御することが可能である。
【００２８】
本発明は、添付の記述および図面において以下に完全に図と共に説明されるいくつかの新規な特徴および部分の組合せから成り、詳細における種々の変更が本発明の範囲から逸脱することなく、または本発明の利点のいずれかを犠牲にすることなくなされることができることが理解される。
【図面の簡単な説明】
【００２９】
本発明は、本願明細書に下記で与えられる詳細な説明および例証としてのみ与えられ、かつしたがって本発明を限定しない、添付の図面から完全によく理解され、そこにおいて：
【００３０】
【図１】本発明に従う基本装置のアプリ経由でホストへの二次装置と基本装置との間のＩＤおよび／またはペアリング情報の送信および／または格納を例示するブロック図である；
【図２】本発明に従う基本装置に二次装置をペアリングするためにホストからの関連するＩＤおよび／またはペアリング情報の受信および／または読出しを例示するブロック図である。
【発明を実施するための形態】
【００３１】
本発明は、アクセサリもしくは関連製品（「二次装置」）とスマート電子装置（「基本装置」）との間の識別情報もしくはデータ（「ＩＤ」）および／またはペアリング情報もしくはデータ（「ペアリング情報」）を任意の異なったサーバもしくは記憶媒体（「ホスト」）におよび／またはから送信する、および／または格納するためのシステムおよび方法に関する。以下に、この明細書は本発明の好ましい実施態様に従って本発明を記述する。しかしながら理解されるべきことは、記述を本発明の好ましい実施態様に限定することは、単に本発明の考察を促進するためだけにあり、および当業者が添付の請求の範囲から逸脱することなく、種々の変更および等価物を考案することができることが構想されるということである。
【００３２】
本発明の好ましい方法に従う任意のホストにおよび／またはから二次装置と基本装置との間のＩＤおよび／またはペアリング情報を送信する、および／または格納するためのシステムおよび方法が、次に個々にまたはそれらの任意の組合せで添付の図面、図１から２に沿って記述される。
【００３３】
本発明は、一般に二次装置および／または基本装置のどちらかのファームウェアおよび／またはソフトウェアアプリケーション（「アプリ」）、同じく有線の方法でもしくは無線でホストと関連付けられる、および／または通信される基本装置のアプリを含む。
【００３４】
限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置などのようなブルートゥース使用可能な装置であることができる。したがって、本発明は好ましくはペアリング機能、例えばブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）を有する二次装置および基本装置を目的とする。しかしながら理解されるであろうことは、基本装置と二次装置をペアリングするかまたは接続するための下位ブルートゥースバージョンまたはその他の無線技術もまた用いられることができるということである。
【００３５】
好ましい実施態様において、基本装置は限定されないが、スマートフォン、セル式もしくは携帯電話、スマートタブレット、コンピュータ、ラップトップ、パーソナル携帯情報機器または任意のスマート装置などであることができる。
【００３６】
ホストは例えば限定されないが、ウェブサーバ、ＳＱＬサーバ、クラウドコンピューティングシステムまたはその他の利用可能なサーバ、記憶媒体もしくはデータベースシステムであることができる。
【００３７】
理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。この種のＩＤおよび／またはペアリング情報は、一般的に二次装置の不揮発性またはフラッシュメモリ内に格納される。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。
【００３８】
限定でないが例として、基本装置と二次装置との間の接続またはペアリングは一般に、二次装置からＩＤおよび／またはペアリング情報を受信する、および／または読み出す、そのペアリング機能経由で、基本装置を含む。これは一般的に、二次装置がそのペアリング機能経由で基本装置によって検出されるべきその存在をブロードキャストするかまたは「広告する」間に、それによって基本装置がまたそのペアリング機能経由で二次装置の任意のブロードキャストまたは存在をスキャンするところで実施される。基本装置が二次装置を検出し、かつ通常接続が確立されるべきユーザの確認を要求する際に、それは次いで二次装置から関連するＩＤおよび／またはペアリング情報を受信する、および／または読み出す。一旦基本装置が二次装置からこの種のＩＤおよび／またはペアリング情報を受信した、および／または読み出したならば、二次装置との接続および／または通信を確立し、同じく維持するためにそのペアリング機能経由で、この種のＩＤおよび／またはペアリング情報を利用するように進む。各二次装置のＩＤおよび／またはペアリング情報は、通常一意であるかまたはそれ自体に特有である。そのようなものとして、基本装置は通常、この種の二次装置に対して一意のおよび／または特有な、特定のＩＤおよび／またはペアリング情報を利用することによって二次装置と接続する、および／またはペアリングすることだけが可能である。ペアリングプロセスは、さらに利用可能な無線技術に基づいて一般に特有なプロトコルおよび仕様を含む。
【００３９】
図１を参照して、好ましいブロック図が基本装置のアプリ経由でホストへの二次装置と基本装置との間のＩＤおよび／またはペアリング情報の送信および／または格納を例示する。好ましいプロセスでは、アプリが、基本装置によって受信された、および／または読み出された既存のもしくは以前にペアリングされた二次装置に関するＩＤおよび／またはペアリング情報を得るために基本装置のペアリング機能を制御する。
【００４０】
好ましいプロセスでは、アプリは、次いでそれが基本装置から得たＩＤおよび／またはペアリング情報をホストに送信する、および／または格納し、それが、必要があればその後アプリによって読み出される、および／または受信されることができる。アプリが、有線の方法でもしくは無線で、かつネットワーク、インターネット、クラウドコンピューティングを通して、または別な方法で任意の形式の接続経由でホストと関連付けられる、および／または通信されることができることが理解される。
【００４１】
次に図２を参照して、好ましいブロック図が代替基本装置に既存の二次装置をペアリングするためにホストからの関連するＩＤおよび／またはペアリング情報の受信および／または読出しを例示する。したがってユーザが既存の二次装置と以前のもしくは既存の接続を有する既存の基本装置を交換することを望むところで、ユーザは、代替基本装置のアプリ経由で、以前に前記ホストに送信された、および／または格納された関連するＩＤおよび／またはペアリング情報をホストから読み出す、および／または受信する。アプリは次いで、既存の二次装置との接続および／または通信を確立する、および／または維持するためにホストから受信された、および／または読み出された関連するＩＤおよび／またはペアリング情報を利用するように代替基本装置のペアリング機能を制御する。理解されるであろうことは、以前にホストに送信された、および／または格納されたＩＤおよび／またはペアリング情報は、図１にて図示したシステムおよび方法経由で必ずしもそのように送信される、および／または格納される必要はなく、かつ基本装置、アプリおよび／または二次装置にさえ無関係に他の手段経由でホストにそのように送信される、および／または格納されることができるということである。
【００４２】
同じように、基本装置内に含有される関連するＩＤおよび／またはペアリング情報が消去された、失われた、使用不可能になった、および／または再フォーマットされた場合には、ユーザは、既存の二次装置との接続および／または通信を確立する、および／または維持するためにホストから関連するＩＤおよび／またはペアリング情報を読み出すように前記基本装置内のアプリを使用することができる。
【００４３】
本発明がこのように記述されたが、それはさまざまな方法で変更されることができることは明らかである。この種の変形は、本発明の原理および範囲からの逸脱とみなされるべきでなく、および全てのこの種の変更が以下の請求項の範囲内に含まれるよう意図されることは当業者に明らかであろう。
【図１】
2016506642.tif 000003
【図２】
2016506642.tif 000004
【手続補正書】
【提出日】平成27年8月20日(2015.8.20)
【手続補正１】
【補正対象書類名】明細書
【補正対象項目名】全文
【補正方法】変更
【補正の内容】
【発明の詳細な説明】
【技術分野】
【０００１】  本発明は一般に、識別情報もしくはデータを送信する、格納する、受信する、および／または読み出す、および／または、アクセサリもしくは関連製品とスマート電子装置との間の情報もしくはデータを任意の異なったサーバもしくは記憶媒体におよび／またはからペアリングするためのシステム及び方法に関する。
【背景技術】
【０００２】  ポータブル通信システムおよび装置は、日常生活の多くの側面に一体化されてかつ現在一日を通して人またはユーザによって一般に携帯されている。電子通信産業の発達および急速な変化に起因して、セル式もしくは携帯電話、スマートフォン、コンピュータ、ラップトップ、タブレットコンピュータ、パーソナル携帯情報機器または任意の通信装置などのような電子装置が、現代社会における必需品になっており、かつ情報伝送のための重要な手段になっている。周知のように、この種の電子装置はコンピュータ支援機能、同じく先端動作および機能のための種々のサポートアプリケーション（「アプリ」）を備えた高機能／スマート装置に進化している。【０００３】  この種の高機能／スマート電子装置（「基本装置」）は、ユーザの必要性に従い追加的なユーティリティとして種々のアクセサリもしくは関連製品（「二次装置」）と共にまたは連動して一般に使われる。最近、この種の基本装置、例えばスマートフォンは広範囲のネットワークおよび機能を実現するために有線または無線方法で選択的に接続される。特に、この種の基本装置はユーザの特性に従ってカスタマイズされ、および装置間のネットワーク環境もまたユーザの特性に従ってカスタマイズされる。たとえば、更なるまたは追加的な動作および機能のために基本装置とペアリングされ、かつ連動して用いられることができる種々の二次装置がある。この種のペアリングは、一般的に二次装置が一意のもしくは特定の識別情報もしくはデータ（「ＩＤ」）、または一般的にその不揮発性もしくはフラッシュメモリ内に格納されるペアリング情報もしくはデータ（「ペアリング情報」）をさえ有する状況を含む。したがって、基本装置は通常有線もしくは無線方法で二次装置のＩＤおよび／またはペアリング情報を使用してこの種の二次装置と接続してかつ通信する能力を有する。ペアリングプロセスは、一般的にそれによって基本装置が二次装置の存在をスキャンするところで生じ、および二次装置がこの種の基本装置によってそれらの存在が検出されるように信号を送るかまたは「広告する」。確認の際にユーザによってまたは別な方法で、特定の基本装置が特定の二次装置に接続されるべきであり、前記有線もしくは無線接続を維持し、同じく二次装置と通信するために基本装置は、二次装置のＩＤおよび／またはペアリング情報を受信するかまたは受信してかつ格納する。【０００４】  しかしながら、ユーザが彼の／彼女の既存の基本装置を異なる基本装置と交換することを望む時、困難が通常生じることが分かっている。二次装置と既存の基本装置との間のＩＤおよび／またはペアリング情報が前記既存の基本装置内にだけ含有されるので、二次装置をペアリングするプロセスが異なる基本装置にそれらをペアリングするために再び開始される必要がある。とりわけ、基本装置を交換するために全ての既存の二次装置をペアリングすることは、面倒かつ繰り返しのプロセスになる。同じように、基本装置内に格納される関連するＩＤおよび／またはペアリング情報が消去されたか、失われたか、使用不可能になったか、または再フォーマットされたところで、ペアリングプロセスが同様に再び開始される必要がある。
【発明の概要】
【発明が解決しようとする課題】
【０００５】  これらのおよび他の欠点からみて、ペアリングプロセスを再び開始するかもしくは繰り返す必要性を回避するために、関連する識別情報もしくはデータを送信する、格納する、受信する、および／または読み出す、および／または任意の異なったサーバもしくは記憶媒体におよび／またはからこれらの二次装置と基本装置との間の情報もしくはデータをペアリングするためのシステムおよび方法を提供することが望ましい。【０００６】  したがって、本発明は、ユーザが二次装置と既存の基本装置との間の全てのペアリング情報を異なったサーバもしくは記憶媒体に送信する、および／または格納することを可能にし、かつこの種のペアリング情報が次いでペアリングプロセスを再び開始する必要性を回避するような代替もしくは他の基本装置に読み出される、および／または受信されることを可能にする。
【課題を解決するための手段】
【０００７】  本発明は、識別情報もしくはデータを送信する、格納する、受信する、および／または読み出す、および／またはアクセサリもしくは関連製品とスマート電子装置との間の情報もしくはデータを任意の異なったサーバもしくは記憶媒体におよび／またはからペアリングするためのシステムに関する。【０００８】  したがって、全ての関連する識別情報もしくはデータ（「ＩＤ」）を送信する、格納する、受信する、および／または読み出す、および／またはアクセサリもしくは関連製品とスマート電子装置との間の情報もしくはデータ（「ペアリング情報」）を任意の異なったサーバもしくは記憶媒体におよび／またはからペアリングするためのシステムであって、このシステムが：ａ）少なくとも１台のスマート電子装置（「基本装置」）；ｂ）前記基本装置と有線でもしくは無線で接続される基本装置の少なくとも１台のアクセサリもしくは関連製品（「二次装置」）；およびｃ）有線もしくは無線ネットワーク、セル式ネットワーク、ブロードバンド、インターネット、クラウドコンピューティング経由でまたは別の方法で基本装置と関連付けられる、および／または通信される少なくとも１台のサーバもしくは記憶媒体（「ホスト」）を含み；このシステムが、ホストと関連付けられる、および／または通信される基本装置のファームウェアおよび／またはソフトウェアアプリケーション（「アプリ」）を含む。【０００９】  好ましいシステムでは、二次装置は任意の無線で使用可能な装置であることができる。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。【００１０】  好ましくは、二次装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のような無線使用可能な器具を使用して基本装置と無線で接続される。理解されるであろうことは、無線使用可能な器具は基本装置とペアリングするかまたは接続するための他の無線技術を使用する任意の装置であることができることである。【００１１】  好ましくは、基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。限定でないが例として、基本装置はスマートフォン、セル式もしくは携帯電話、スマートタブレット、コンピュータ、ラップトップ、パーソナル携帯情報機器または任意のスマート装置などである。【００１２】  理解されるであろうことは、好ましいシステムのホストはウェブサーバ、ＳＱＬサーバ、クラウドコンピューティングシステムまたはその他の利用可能なサーバ、記憶媒体もしくはデータベースシステムであることができる。【００１３】  好ましいシステムでは、二次装置は装置または一意の識別情報もしくはデータ（「ＩＤ」）を含有し、かつさらに不揮発性メモリ、フラッシュメモリ内にまた���別な方法で格納されることができるペアリング情報もしくはデータ（「ペアリング情報」）を有することができる。基本装置と二次装置との間の接続および／または通信を確立する、および／または維持するためにＩＤおよび／またはペアリング情報が二次装置によって送信される、および／または基本装置によって読み出されることができる点に留意する必要がある。ＩＤもしくはペアリング情報がさらにＭＡＣアドレス、ＢＴアドレス、装置シリアル番号または他の特有なデータもしくはコーディングなどを含むことができることが更に認識される。【００１４】  好ましくは、基本装置内のファームウェアおよび／またはソフトウェアアプリケーション（「アプリ」）が、基本装置によってホストに受信されたかもしくは読み出された任意のもしくは全てのＩＤおよび／またはペアリング情報を送信する、および／または格納することが可能である。同じように、基本装置内のアプリは、ホストからＩＤおよび／またはペアリング情報を読み出す、および／または受信することが可能である。【００１５】  好ましくは、この種の二次装置との接続および／または通信を確立する、および／または維持するために、基本装置が二次装置からＩＤおよび／またはペアリング情報を受信した、および／または読み出した所で、アプリは、基本装置からこの種のＩＤおよび／またはペアリング情報を得て、かつ前記ＩＤおよび／またはペアリング情報をホストに送信する、および／または格納する。ユーザがその後既存の二次装置と以前のもしくは既存のペアリングを有する既存の基本装置を交換することを望むところで、ユーザは、代替基本装置のアプリ経由で、既存の二次装置との接続および／または通信を確立する、および／または維持するためにホストから関連するＩＤおよび／またはペアリング情報を受信する、および／または読み出すことを可能にされる。これは、既存の二次装置の各々に対してペアリングプロセスを再び開始する必要性を回避する。【００１６】  本発明は、さらにスマート電子装置（「基本装置」）によって受信された、および／または読み出された全ての関連する識別（「ＩＤ」）および／またはペアリング情報および／またはデータ（「ペアリング情報」）をアクセサリもしくは関連製品（「二次装置」）から任意の異なったサーバもしくは記憶媒体（「ホスト」）に送信する、および／または格納する方法を提供し、この方法が：ａ）有線の方法でもしくは無線で少なくとも１台の二次装置を少なくとも１台の基本装置にペアリングするかまたは接続するステップ；ｂ）ホストと前記基本装置内のファームウェアおよび／またはソフトウェアアプリケーション（「アプリ」）との間の通信を関連づける、および／または確立するステップであって；前記基本装置が、前記二次装置からＩＤおよび／またはペアリング情報を受信する、および／または読み出すステップ；ならびにｃ）前記基本装置のファームウェアもしくはソフトウェアアプリケーション（「アプリ」）経由で、前記ホストに前記基本装置によって受信された、および／または読み出された前記二次装置のＩＤおよび／またはペアリング情報を送信する、および／または格納するステップを含む。【００１７】  好ましくは、二��装置および基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。理解されるであろうことは、ペアリング能力は二次装置と基本装置をペアリングするかまたは接続するためのその他の無線技術であることができることである。限定でないが例として、本発明の基本装置は、スマートフォン、セル式もしくは携帯電話、スマートタブレット、コンピュータ、ラップトップ、パーソナル携帯情報機器または任意のスマート装置などである。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。【００１８】  理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。【００１９】  好ましい方法のホストがウェブサーバ、ＳＱＬサーバ、クラウドコンピューティングシステムまたはその他の利用可能なサーバ、記憶媒体もしくはデータベースシステムであることができることがさらに理解される。【００２０】  好ましい方法において、アプリは任意の二次装置と接続する、および／または通信するために前記基本装置によって読み出されたかまたは受信されたＩＤおよび／またはペアリング情報を得るために基本装置のペアリング機能を制御することが可能である。アプリは、それが基本装置からホストに得た任意のもしくは全てのＩＤおよび／またはペアリング情報を送信する、および／または格納することが可能である。理解されるであろうことは、有線もしくは無線ネットワーク、セル式ネットワーク、ブロードバンド、インターネット、クラウドコンピューティング経由で、または別な方法でアプリが任意の形式の接続経由でホストと関連付けられる、および／または通信されることができることである。【００２１】  本発明は、任意の異なったサーバもしくは記憶媒体（「ホスト」）から、以前に前記ホストに送信された、および／または格納されたアクセサリもしくは関連製品（「二次装置」）の任意のもしくは全ての関連する識別（「ＩＤ」）および／またはペアリング情報および／またはデータ（「ペアリング情報」）を、基本装置と二次装置との間の接続および／または通信を確立する、および／または維持するためにスマート電子装置（「基本装置」）に読み出す、および／または受信するための方法を更に備える。したがって、この方法は：ａ）ホストと基本装置内のファームウェアおよび／またはソフトウェアアプリケーション（「アプリ」）との間の通信を関連づける、および／または確立するステップ；ｂ）任意のもしくは全てのＩＤおよび／またはペアリング情報を、前記基本装置内のファームウェアおよび／またはソフトウェアアプリケーション（「アプリ」）経由で、前記基本装置に前記ホストから読み出す、および／または受信するステップ；ならびにｃ）この種の読み出された、および／または受信されたＩＤおよび／またはペアリング情報を使用して、前記基本装置のアプリ経由で、前記基本装置と関連する二次装置との間の接続および／または通信を確立する、および／または維持するステップを含む。【００２２】  好ましくは、二次装置および基本装置はブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力とともに使用可能である。理解されるであろうことは、ペアリング能力は二次装置と基本装置をペアリングするかまたは接続するためのその他の無線技術であることができることである。【００２３】  限定でないが例として、本発明の基本装置はスマートフォン、セル式もしくは携帯電話、スマートタブレット、コンピュータ、ラップトップ、パーソナル携帯情報機器または任意のスマート装置などである。限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置であることができる。【００２４】  理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。【００２５】  好ましい方法のホストがウェブサーバ、ＳＱＬサーバ、クラウドコンピューティングシステムまたはその他の利用可能なサーバ、記憶媒体もしくはデータベースシステムであることができることがさらに理解される。【００２６】  好ましい方法において、ホストは以前にそれに送信された、および／または格納された二次装置のＩＤおよび／またはペアリング情報を含有する。基本装置内のアプリは、任意のもしくは全てのこの種のＩＤおよび／またはペアリング情報をホストから読み出す、および／または受信することが可能である。理解されるであろうことは、アプリが、有線もしくは無線ネットワーク、セル式ネットワーク、ブロードバンド、インターネット、クラウドコンピューティング経由で、または別な方法で任意の形式の接続経由でホストと関連付けられる、および／または通信されることができることである。【００２７】  アプリは、関連する二次装置との接続および／または通信を確立する、および／または維持するためにホストから読み出された、および／または受信されたＩＤおよび／またはペアリング情報を利用するように基本装置のペアリング機能を制御することが可能である。【００２８】  本発明は、添付の記述および図面において以下に完全に図と共に説明されるいくつかの新規な特徴および部分の組合せから成り、詳細における種々の変更が本発明の範囲から逸脱することなく、または本発明の利点のいずれかを犠牲にすることなくなされることができることが理解される。【００２９】  本発明は、本願明細書に下記で与えられる詳細な説明および例証としてのみ与えられ、かつしたがって本発明を限定しない、添付の図面から完全によく理解され、そこにおいて：
【図面の簡単な説明】
【００３０】
【図１】本発明に従う基本装置のアプリ経由でホストへの二次装置と基本装置との間のＩＤおよび／またはペアリング情報の送信および／または格納を例示するブロック図である。
【図２】本発明に従う基本装置に二次装置をペアリングするためにホストからの関連するＩＤおよび／またはペアリング情報の受信および／または読出しを例示するブロック図である。
【発明を実施するための形態】
【００３１】  本発明は、アクセサリもしくは関連製品（「二次装置」）とスマート電子装置（「基本装置」）との間の識別情報もしくはデータ（「ＩＤ」）および／またはペアリング情報もしくはデータ（「ペアリング情報」）を任意の異なったサーバもしくは記憶媒体（「ホスト」）におよび／またはから送信する、および／または格納するためのシステムおよび方法に関する。以下に、この明細書は本発明の好ましい実施態様に従って本発明を記述する。しかしながら理解されるべきことは、記述を本発明の好ましい実施態様に限定することは、単に本発明の考察を促進するためだけにあり、および当業者が添付の請求の範囲から逸脱することなく、種々の変更および等価物を考案することができることが構想されるということである。
【００３２】  本発明の好ましい方法に従う任意のホストにおよび／またはから二次装置と基本装置との間のＩＤおよび／またはペアリング情報を送信する、および／または格納するためのシステムおよび方法が、次に個々にまたはそれらの任意の組合せで添付の図面、図１から２に沿って記述される。
【００３３】  本発明は、一般に二次装置および／または基本装置のどちらかのファームウェアおよび／またはソフトウェアアプリケーション（「アプリ」）、同じく有線の方法でもしくは無線でホストと関連付けられる、および／または通信される基本装置のアプリを含む。
【００３４】  限定でないが例として、二次装置はブルートゥースヘッドセット、ブルートゥース近接タグ、ブルートゥース心拍数センサ、Ｚｉｇｂｅｅ（登録商標）スマート家庭装置、ＡＮＴ＋健康管理装置、無線もしくはラジオ周波数（ＲＦ）接続装置またはその他の無線使用可能な器具もしくは関連装置などのようなブルートゥース使用可能な装置であることができる。したがって、本発明は好ましくはペアリング機能、例えばブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）を有する二次装置および基本装置を目的とする。しかしながら理解されるであろうことは、基本装置と二次装置をペアリングするかまたは接続するための下位ブルートゥースバージョンまたはその他の無線技術もまた用いられることができるということである。
【００３５】  好ましい実施態様において、基本装置は限定されないが、スマートフォン、セル式もしくは携帯電話、スマートタブレット、コンピュータ、ラップトップ、パーソナル携帯情報機器または任意のスマート装置などであることができる。
【００３６】  ホストは例えば限定されないが、ウェブサーバ、ＳＱＬサーバ、クラウドコンピューティングシステムまたはその他の利用可能なサーバ、記憶媒体もしくはデータベースシステムであることができる。
【００３７】  理解されるであろうことは、二次装置は基本装置との接続および／または通信を確立する、および／または維持するために装置または一意の識別情報もしくはデータ（「ＩＤ」）および／またはペアリング情報もしくはデータ（「ペアリング情報」）を有することである。この種のＩＤおよび／またはペアリング情報は、一般的に二次装置の不揮発性またはフラッシュメモリ内に格納される。ＩＤおよび／またはペアリング情報がさらに基本装置と二次装置との間の接続および／または通信を確立する、および／または維持するためにＭＡＣアドレス、ＢＴアドレス、装置シリアル番号、または他の特有なデータもしくはコーディングなどを含むことができることがさらに理解される。
【００３８】  限定でないが例として、基本装置と二次装置との間の接続またはペアリングは一般に、二次装置からＩＤおよび／またはペアリング情報を受信する、および／または読み出す、そのペアリング機能経由で、基本装置を含む。これは一般的に、二次装置がそのペアリング機能経由で基本装置によって検出されるべきその存在をブロードキャストするかまたは「広告する」間に、それによって基本装置がまたそのペアリング機能経由で二次装置の任意のブロードキャストまたは存在をスキャンするところで実施される。基本装置が二次装置を検出し、かつ通常接続が確立されるべきユーザの確認を要求する際に、それは次いで二次装置から関連するＩＤおよび／またはペアリング情報を受信する、および／または読み出す。一旦基本装置が二次装置からこの種のＩＤおよび／またはペアリング情報を受信した、および／または読み出したならば、二次装置との接続および／または通信を確立し、同じく維持するためにそのペアリング機能経由で、この種のＩＤおよび／またはペアリング情報を利用するように進む。各二次装置のＩＤおよび／またはペアリング情報は、通常一意であるかまたはそれ自体に特有である。そのようなものとして、基本装置は通常、この種の二次装置に対して一意のおよび／または特有な、特定のＩＤおよび／またはペアリング情報を利用することによって二次装置と接続する、および／またはペアリングすることだけが可能である。ペアリングプロセスは、さらに利用可能な無線技術に基づいて一般に特有なプロトコルおよび仕様を含む。
【００３９】  図１を参照して、好ましいブロック図が基本装置のアプリ経由でホストへの二次装置と基本装置との間のＩＤおよび／またはペアリング情報の送信および／または格納を例示する。好ましいプロセスでは、アプリが、基本装置によって受信された、および／または読み出された既存のもしくは以前にペアリングされた二次装置に関するＩＤおよび／またはペアリング情報を得るために基本装置のペアリング機能を制御する。
【００４０】  好ましいプロセスでは、アプリは、次いでそれが基本装置から得たＩＤおよび／またはペアリング情報をホストに送信する、および／または格納し、それが、必要があればその後アプリによって読み出される、および／または受信されることができる。アプリが、有線の方法でもしくは無線で、かつネットワーク、インターネット、クラウドコンピューティングを通して、または別な方法で任意の形式の接続経由でホストと関連付けられる、および／または通信されることができることが理解される。
【００４１】  次に図２を参照して、好ましいブロック図が代替基本装置に既存の二次装置をペアリングするためにホストからの関連するＩＤおよび／またはペアリング情報の受信および／または読出しを例示する。したがってユーザが既存の二次装置と以前のもしくは既存の接続を有する既存の基本装置を交換することを望むところで、ユーザは、代替基本装置のアプリ経由で、以前に前記ホストに送信された、および／または格納された関連するＩＤおよび／またはペアリング情報をホストから読み出す、および／または受信する。アプリは次いで、既存の二次装置との接続および／または通信を確立する、および／または維持するためにホストから受信された、および／または読み出された関連するＩＤおよび／またはペアリング情報を利用するように代替基本装置のペアリング機能を制御する。理解されるであろうことは、以前にホストに送信された、および／または格納されたＩＤおよび／またはペアリング情報は、図１にて図示したシステムおよび方法経由で必ずしもそのように送信される、および／または格納される必要はなく、かつ基本装置、アプリおよび／または二次装置にさえ無関係に他の手段経由でホストにそのように送信される、および／または格納されることができるということである。そのようなものとして、それはさらにユーザが二次装置と既存の基本装置との間の全てのペアリング情報を異なったサーバもしくは記憶媒体に送信する、および／または格納することを可能にし、かつこの種のペアリング情報が、次いでペアリングプロセスを再び開始する必要性を回避する代替もしくは他の基本装置に読み出される、および／または受信されることを可能にする。
【００４２】  同じように、基本装置内に含有される関連するＩＤおよび／またはペアリング情報が消去された、失われた、使用不可能になった、および／または再フォーマットされた場合には、ユーザは、既存の二次装置との接続および／または通信を確立する、および／または維持するためにホストから関連するＩＤおよび／またはペアリング情報を読み出すように前記基本装置内のアプリを使用することができる。
【００４３】  本発明がこのように記述されたが、それはさまざまな方法で変更されることができることは明らかである。この種の変形は、本発明の原理および範囲からの逸脱とみなされるべきでなく、および全てのこの種の変更が以下の請求項の範囲内に含まれるよう意図されることは当業者に明らかであろう。
【手続補正２】
【補正対象書類名】特許請求の範囲
【補正対象項目名】全文
【補正方法】変更
【補正の内容】
【特許請求の範囲】
【請求項１】
関連する識別情報もしくはデータを送信するか、格納するか、受信するか、または読み出すか、またはアクセサリもしくは関連製品とスマート電子装置との間の情報もしくはデータを任意の異なったサーバもしくは記憶媒体にまたはからペアリングするためのシステムであって、前記システムが：ａ）少なくとも１台のスマート電子装置；ｂ）前記スマート電子装置と無線で接続される少なくとも１台のアクセサリまたは関連製品；およびｃ）前記スマート電子装置と関連づけるかもしくは通信するサーバもしくは記憶媒体を含み；  前記システムが、前記サーバもしくは記憶媒体と関連付けられるか、または通信される前記スマート電子装置のファームウェアもしくはソフトウェアアプリケーションを含み；  前記アクセサリもしくは関連製品が、その不揮発性もしくはフラッシュメモリ内に格納される識別情報もしくはデータ（「ＩＤ」）またはペアリング情報もしくはデータ（「ペアリング情報」）を有し；  前記スマート電子装置内の前記ファームウェアもしくはソフトウェアアプリケーション（「アプリ」）が、前記スマート電子装置が、前記アクセサリもしくは関連製品から受信したか、または読み出した任意のもしくは全てのＩＤまたはペアリング情報を得ることを可能にし、前記スマート電子装置内の前記ファームウェアもしくはソフトウェアアプリケーション（「アプリ」）によって得られる前記ＩＤまたはペアリング情報が、前記ファームウェアもしくはソフトウェアアプリケーション（「アプリ」）経由で前記サーバもしくは記憶媒体に送信されるか、または格納され；そして  前記スマート電子装置内の前記ファームウェアもしくはソフトウェアアプリケーション（「アプリ」）が、前記サーバもしくは記憶媒体から以前に前記サーバもしくは記憶媒体内に送信されたか、または格納されたＩＤまたはペアリング情報を読み出すか、または受信することがさらに可能であり、前記スマート電子装置内の前記ファームウェアもしくはソフトウェアアプリケーション（「アプリ」）が、前記関連するアクセサリもしくは関連製品との接続または通信を確立するか、または維持するために、前記サーバもしくは記憶媒体から読み出されたか、または受信された前記ＩＤおよび／またはペアリング情報を利用するように前記スマート電子装置の前記ペアリング能力を制御することを特徴とするシステム。
【請求項２】
前記システムが、前記ユーザが前記アクセサリもしくは関連製品（「二次装置」）と既存のスマート電子装置（「基本装置」）との間の全てのペアリング情報を前記異なったサーバもしくは記憶媒体に送信する、および／または格納することを可能にし、かつこの種のペアリング情報が、次いで前記ペアリングプロセスを再び開始する必要性を回避する前記代替もしくは他のスマート電子装置（「基本装置」）に読み出される、および／または受信されることを可能にすることを特徴とする請求項１に記載のシステム。
【請求項３】
前記アクセサリもしくは関連製品が、ブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１に記載のシステム。
【請求項４】
前記スマート電子装置が、ブルートゥースバージョン４．０以上、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１に記載のシステム。
【請求項５】
前記ペアリング能力が、下位ブルートゥースバージョンまたは前記スマート電子装置とペアリングするかもしくは接続するための他の無線技術を使用する任意の装置であることができることを特徴とする請求項３または４に記載のシステム。
【請求項６】
前記スマート電子装置が、スマートフォン、セル式もしくは携帯電話、スマートタブレット、コンピュータ、ラップトップ、パーソナル携帯情報機器または任意のスマート装置などであることを特徴とする請求項１に記載のシステム。
【請求項７】
前記ＩＤもしくはペアリング情報が、ＭＡＣアドレス、ＢＴアドレス、装置シリアル番号、またはスマート電子装置と前記アクセサリもしくは関連製品との間の接続または通信を確立するか、または維持する目的のための他の特有なデータもしくはコーディングなどであることを特徴とする請求項１に記載のシステム。
【請求項８】
前記アクセサリもしくは関連製品が、スマート電子装置にそのＩＤまたはペアリング情報を送信することが可能であることを特徴とする請求項１に記載のシステム。
【請求項９】
前記スマート電子装置が、前記アクセサリもしくは関連製品から任意のもしくは全てのＩＤおよび／またはペアリング情報を読み出すか、または受信することが可能であることを特徴とする請求項１に記載のシステム。
【請求項１０】
前記サーバもしくは記憶媒体が、ウェブサーバ、ＳＱＬサーバ、クラウドコンピューティングシステムまたはその他の利用可能なサーバもしくはデータベースシステムであることを特徴とする請求項１に記載のシステム。
【請求項１１】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項１に記載のシステム。
【請求項１２】
任意の異なったサーバもしくは記憶媒体にアクセサリもしくは関連製品からスマート電子装置によって読み出されたか、または受信された識別情報もしくはデータ（「ＩＤ」）またはペアリング情報もしくはデータ（「ペアリング情報」）を送信するか、または格納するための方法であって、前記方法が：ａ）有線の方法でもしくは無線で少なくとも１台のアクセサリもしくは関連製品を少なくとも１台のスマート電子装置にペアリングするかまたは接続するステップ；ｂ）サーバもしくは記憶媒体と前記スマート電子装置のファームウェアもしくはソフトウェア（「アプリ」）との間の通信を関連づけるか、または確立するステップであって；前記スマート電子装置が、前記アクセサリもしくは関連製品からＩＤまたはペアリング情報を受信するか、または読み出すステップ；およびｃ）前記サーバもしくは記憶媒体に前記スマート電子装置内の前記ファームウェアもしくはソフトウェアアプリケーション（「アプリ」）経由で、前記ＩＤまたはペアリング情報を送信するか、または格納するステップを含み；  前記スマート電子装置内の前記ファームウェアもしくはソフトウェアアプリケーション（「アプリ」）が、前記スマート電子装置が任意のアクセサリもしくは関連製品から受信した、または読み出した任意のもしくは全てのＩＤまたはペアリング情報を得るために、前記スマート電子装置の前記ペアリング能力を制御することを可能にし；そして  前記スマート電子装置内の前記ファームウェアもしくはソフトウェアアプリケーション（「アプリ」）が、前記スマート電子装置から得られた任意のもしくは全てのＩＤまたはペアリング情報を前記サーバもしくは記憶媒体に送信するか、または格納することを可能にすることを特徴とする方法。
【請求項１３】
前記アクセサリもしくは関連製品が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１２に記載の方法。
【請求項１４】
前記スマート電子装置が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項１２に記載の方法。
【請求項１５】
前記スマート電子装置が、スマートフォン、セル式もしくは携帯電話、スマートタブレット、コンピュータ、ラップトップ、パーソナル携帯情報機器または任意のスマート装置などであることを特徴とする請求項１２に記載の方法。
【請求項１６】
前記アクセサリもしくは関連製品の前記ＩＤもしくはペアリング情報が、前記アクセサリもしくは関連製品の不揮発性もしくはフラッシュメモリに格納されることを特徴とする請求項１２に記載の方法。
【請求項１７】
前記アクセサリもしくは関連製品の前記ＩＤもしくはペアリング情報が、ＭＡＣアドレス、ＢＴアドレス、装置シリアル番号、またはスマート電子装置と前記アクセサリもしくは関連製品との間の接続もしくは通信を確立するか、または維持する目的のための他の特有なデータもしくはコーディングなどであることを特徴とする請求項１２に記載の方法。
【請求項１８】
前記サーバもしくは記憶媒体が、ウェブサーバ、ＳＱＬサーバ、クラウドコンピューティングシステムまたはその他の利用可能なサーバもしくはデータベースシステムであることを特徴とする請求項１２に記載の方法。
【請求項１９】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項１２に記載の方法。
【請求項２０】
任意の異なったサーバもしくは記憶媒体から、以前に前記サーバもしくは記憶媒体に送信されたか、または格納されたアクセサリもしくは関連製品の任意のもしくは全ての関連する識別（「ＩＤ」）またはペアリング情報もしくはデータ（「ペアリング情報」）を、スマート電子装置に、前記スマート電子装置と前記関連するアクセサリもしくは関連製品との間の接続または通信を確立するか、または維持するために、読み出すか、または受信するための方法であって、前記方法が：ａ）サーバもしくは記憶媒体とスマート電子装置内のファームウェアまたはソフトウェアアプリケーション（「アプリ」）との間の通信を関連づけるか、または確立するステップ；ｂ）前記スマート電子装置に前記スマート電子装置内の前記ファームウェアおよび／またはソフトウェアアプリケーション（「アプリ」）経由で、前記サーバもしくは記憶媒体から任意のもしくは全てのＩＤまたはペアリング情報を読み出すか、または受信するステップ；ならびにｃ）前記スマート電子装置と前記関連するアクセサリもしくは関連製品との間の接続または通信を確立するか、または維持するために、前記スマート電子装置内の前記ファームウェアおよび／またはソフトウェアアプリケーション（「アプリ」）経由で、この種の読み出された、または受信されたＩＤおよび／またはペアリング情報を使用するステップを含み；  前記スマート電子装置内の前記ファームウェアもしくはソフトウェアアプリケーション（「アプリ」）が、前記サーバもしくは記憶媒体から、前記サーバもしくは記憶媒体に以前に送信されたか、または格納されたアクセサリもしくは関連製品の任意のもしくは全ての関連するＩＤまたはペアリング情報を前記スマート電子装置に読み出すか、または受信することを可能にし；そして  前記スマート電子装置内の前記ファームウェアもしくはソフトウェアアプリケーション（「アプリ」）が、前記関連するアクセサリもしくは関連製品との接続または通信を確立するか、または維持するために前記ＩＤまたはペアリング情報を使用するように前記スマート電子装置の前記ペアリング能力を制御することを可能にすることを特徴とする方法。
【請求項２１】
前記方法が、前記ユーザが前記アクセサリもしくは関連製品（「二次装置」）と既存のスマート電子装置（「基本装置」）との間の全てのペアリング情報を前記異なったサーバもしくは記憶媒体に送信する、および／または格納することを可能にし、かつこの種のペアリング情報が、次いでペアリングプロセスを再び開始する必要性を回避する前記代替または他のスマート電子装置（「基本装置」）に読み出される、および／または受信されることを可能にすることを特徴とする請求項２０に記載の方法。
【請求項２２】
前記アクセサリもしくは関連製品が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項２０に記載の方法。
【請求項２３】
前記スマート電子装置が、ブルートゥース、ＷｉＦｉ、近距離場通信（ＮＦＣ）、Ｚｉｇｂｅｅ（登録商標）、ＡＮＴ＋またはその他の無線もしくはラジオ周波数（ＲＦ）接続のようなペアリング能力を有している装置であることを特徴とする請求項２０に記載の方法。
【請求項２４】
前記スマート電子装置が、スマートフォン、セル式もしくは携帯電話、スマートタブレット、コンピュータ、ラップトップ、パーソナル携帯情報機器または任意のスマート装置などであることを特徴とする請求項２０に記載の方法。
【請求項２５】
前記アクセサリもしくは関連製品の前記ＩＤまたはペアリング情報が、前記アクセサリもしくは関連製品の不揮発性もしくはフラッシュメモリに格納されることを特徴とする請求項２０に記載の方法。
【請求項２６】
前記アクセサリもしくは関連製品の前記ＩＤまたはペアリング情報が、ＭＡＣアドレス、ＢＴアドレス、装置シリアル番号、またはスマート電子装置と前記アクセサリもしくは関連製品との間の接続または通信を確立するか、または維持する目的のための他の特有なデータもしくはコーディングなどであることを特徴とする請求項２０に記載の方法。
【請求項２７】
前記サーバもしくは記憶媒体が、ウェブサーバ、ＳＱＬサーバ、クラウドコンピューティングシステムまたはその他の利用可能なサーバもしくはデータベースシステムであることを特徴とする請求項２０に記載の方法。
【請求項２８】
前記スマート電子装置内の前記ファームウェアもしくはソフトウェアアプリケーション（「アプリ」）が、有線もしくは無線ネットワーク、セル式ネットワーク、ブロードバンド、インターネット、クラウドコンピューティング経由で、または別な方法で前記サーバもしくは記憶媒体と関連づけるかまたは通信していることを特徴とする請求項２０に記載の方法。
【国際調査報告】
2016506642.tif 000005
2016506642.tif 000006
2016506642.tif 000007